(57)【特許請求の範囲】
【請求項１】
液晶表示パネルと、
前記液晶表示パネルとバックライトユニットを収納する主支持部材と、
前記バックライトユニットを固定すると共に、前記主支持部材を支持し、ベースプレートと移動可能プレートを含む下部支持部材とを含み、
前記移動可能プレートは、前記液晶表示パネルのサイズに基づいて順応可能なサイズを有し、前記移動可能プレートの移動方向に沿って少なくとも一つの溝を有し、
前記ベースプレートは、前記少なくとも一つの溝を通って少なくとも一つの突起を含み、前記移動可能プレートの移動範囲は、前記溝の長さに限られることを特徴とする液晶表示装置。
【請求項２】
前記底部容器は、固定サイズの前記ベースプレートと、液晶表示パネルに従って順応可能なサイズを有する前記移動可能プレートとを含み、前記移動可能プレートは前記液晶表示パネルのサイズに順応して水平方向に移動可能であることを特徴とする請求項１記載の液晶表示装置。
【請求項３】
前記ベースプレート上に、前記移動可能プレートを適合移動させるためのスクリューを更に含むことを特徴とする請求項２記載の液晶表示装置。
【請求項４】
前記移動可能プレートは、複数の移動可能サブプレートを含み、前記移動可能サブプレートの各々は独立に移動することを特徴とする請求項２記載の液晶表示装置。
【請求項５】
前記移動可能サブプレートの各々は、ベースプレート上を水平方向に移動可能なサブ平面部と、前記サブ平面部から垂直に延伸する側壁を含むことを特徴とする請求項４記載の液晶表示装置。
【請求項６】
ベースプレート上にスクリューを更に含み、前記スクリューは前記少なくとも一つの移動可能サブプレートの側壁と接触しており、前記少なくとも一つの移動可能サブプレートを水平に移動させることを特徴とする請求項５記載の液晶表示装置。
【請求項７】
前記スクリューは、前記ベースプレートを貫通して、前記少なくとも一つの移動可能サブプレートの側壁に接触することを特徴とする請求項６記載の液晶表示装置。
【請求項８】
前記スクリューは、少なくとも一つのスクリューであることを特徴とする請求項６記載の液晶表示装置。
【請求項９】
前記ベースプレートは、ベース平面部と、前記ベース平面部から垂直に延伸するベース側壁とを含み、前記スクリューが前記ベースプレートのベース側壁を貫通して、前記サブ変面部の側壁と接触することを特徴とする請求項７記載の液晶表示装置。
【発明の詳細な説明】
【技術分野】
【０００１】
本発明は液晶表示装置に関し、特に液晶表示パネルの大きさに関わらず用いられる下部支持部材を備える液晶表示装置に関する。
【背景技術】
【０００２】
一般に、液晶表示装置(LCD)は、映像信号に対応するように光ビームの透過量を調節することで画像を示す代表的な平板表示装置である。特に、LCDは、軽量化、薄型化、低消費電力駆動などの特長により、その応用範囲が広まる動向にある。このような動向に伴い、LCDはオフィスオートメーション装置及びノートパソコンの表示装置として適用されている。また、LCDは、ユーザーの要求に応え、大画面化、高精細化、低消費電力化の方向に進んでいる。
【０００３】
図１を参照すると、従来の液晶表示装置は、液晶表示パネル２と、液晶表示パネル２に光を照射するバックライトユニットと、液晶表示パネル２とバックライトユニットを収納する主支持部材４と、主支持部材３の一側と締結され、バックライトユニットを固定すると共に、主支持部材４を支持する下部支持部材１６と、液晶表示パネル２の縁及び主支持部材４の側壁を覆うケーストップ６とを備える。
【０００４】
液晶表示パネル２は、上部及び下部基板の間に液晶セルがアクティブマトリクス状に配列されると共に、液晶セルのそれぞれには、ビデオ信号を切り替えるための薄膜トランジスタが設けられている。液晶セルそれぞれの屈折率が、ビデオ信号に応じて変化されることにより、ビデオ信号に該当する画像が示される。このような液晶表示パネル２の下部基板上には、薄膜トランジスタに駆動信号を印加するためのゲート印刷回路基板３a及びデータ印刷回路基板３bが実装される。また、液晶表示パネル２の前面及び背面には、偏光シートがそれぞれ設けられる。
【０００５】
バックライトユニットは、外部電源より電源が供給され、液晶表示パネル２に光を照射するランプセンブリ３６と、ランプアセンブリ３６より出射される光を液晶表示パネル２側に進行させる導光板１２と、導光板１２の背面に配置される反射シート１４と、導光板１２より出射される光の効率を向上させ、液晶表示パネル２に照射する多数の光学シート１０とを備える。
【０００６】
ランプアセンブリ３６は、ランプ３３及びランプ３３を保護するランプハウジング３５を含み、液晶表示パネル２に光を供給する光源としての役割をする。特に、ランプハウジング３５は、ランプより照射される光の効率を増加させ、光の損失を防ぐ。
【０００７】
導光板１２は、一定の傾きを有し、ランプアセンブリ３６より入射される光を液晶表示パネル２側に進むようにする。この際、反射シート１４は、ランプ３３より発生される光が導光板１２側に進むようにすると共に、ランプ３３より発生される光の損失を防ぐ。
【０００８】
光学シート１０は、反射シート１４及び導光板１２の表面より傾いて入射される光が、垂直に液晶表示パネル２方向に進むようにする。
【０００９】
ケーストップ６は、直角に構成された平面部と側面部を有する四角帯状で作製される。このようなケーストップ６は、液晶表示パネル２の縁と主支持部材４の側面を覆う。 
【００１０】
主支持部材４にはバックライトユニット、液晶表示パネル２が積層される。 
【００１１】
下部支持部材１６は、主支持部材４のバックライトユニットが挿入される一側と連結され、バックライトユニットを保護すると共に、主支持部材４を支持する。特に、下部支持部材１６は、液晶表示装置の最低面に位置し、メタル材質で形成され、プラスチック材質で形成された主支持部材４の堅固性を補強する役割をする。
【００１２】
一方、従来の液晶表示パネル２が大型化されることにより、これに伴うバックライトユニット、下部支持部材１６なども液晶表示パネル２の大きさに合わせ大型化される。即ち、液晶表示パネル２の大きさの変化に伴い、下部支持部材１６なども新たに作製しなければならないため、液晶表示装置の製作コストがそれほど高くなるという問題が発生する。
【発明の開示】
【発明が解決しようとする課題】
【００１３】
従って、本発明の目的は、液晶表示パネルの大きさに関わらず用いられる下部支持部材を備える液晶表示装置を提供することにある。
【課題を解決するための手段】
【００１４】
上記目的を達成するため、本発明に係る液晶表示装置は、液晶表示パネル及び液晶表示パネルに光を供給するバックライトユニットが積層される主支持部材と、前記主支持部材と連結され、前記主支持部材を支持する下部支持部材を備え、前記下部支持部材は、ベースプレートと、前記ベースプレート上で水平に移動可能であり、前記液晶表示パネルの大きさにより自身の大きさが調節される移動プレートとを備えることを特徴とする。
【００１５】
前記ベースプレートは、ベース平面部、ベース平面部と垂直に構成されるように連結されるベース垂直部、ベース垂直部を貫通すると共に、前進及び後退により前記移動プレートの移動を調節するスクリューを備えることを特徴とする 。
【００１６】
前記移動プレートは、それぞれ独立的に移動可能な少なくとも２以上の分割プレートから構成され、前記分割プレートのそれぞれは、前記ベース平面部上で水平に移動可能な移動平面部と、移動平面部と垂直の構成されるように連結され、前記ベース垂直部を貫通し、前記スクリューのプッシングにより移動平面部と共に水平に移動される移動垂直部とを含むことを特徴とする 。
【００１７】
前記ベース平面部には、前記移動平面部方向に突出された少なくとも一つの突起を含み、前記移動平面部には、前記突起が挿入され、前記移動平面部の移動経路を提供するための溝が備えられることを特徴とする。
【発明の効果】
【００１８】
本発明に係る液晶表示装置は、液晶表示パネルの大きさにより、大きさが調節される下部支持部材を備える。よって、液晶表示パネルが大型化されても、別に下部支持部材の作製が不要となることにより、コストを低減できる。
【発明を実施するための最良の形態】
【００１９】
図２は、本発明に係る液晶表示装置を示す分解斜視図である。
図２を参照すると、本発明における液晶表示装置は、液晶表示パネル１０２と、液晶表示パネル１０２に光を照射するバックライトユニットと、液晶表示パネル１０２とバックライトユニットを収納する主支持部材１０４と、主支持部材１０４の一側と締結され、バックライトユニットを固定すると共に、主支持部材１０４を支持する下部支持部材１１６と、液晶表示パネル１０２の縁及び主支持部材１０４の側壁を覆うケーストップ１０６とを備える。
【００２０】
液晶表示パネル１０２は、上部及び下部基板との間に液晶セルがアクティブマトリクス状に配列されると共に、液晶セルのそれぞれにはビデオ信号を切り替えるための薄膜トランジスタが設けられている。液晶セルそれぞれの屈折率が、ビデオ信号に応じて変化されることにより、ビデオ信号に該当する画像が示される。このような液晶表示パネル１０２の下部基板上には、薄膜トランジスタに駆動信号を印加するためのゲート印刷回路基板及びデータ印刷回路基板が実装される。また、液晶表示パネル１０２の前面及び背面には、偏光シートがそれぞれ設けられる。
【００２１】
バックライトユニットは、外部電源より電源が供給され、液晶表示パネル１０２に光を照射するランプアセンブリ１３６と、ランプアセンブリ１３６より出射される光を液晶表示パネル１０２側に進行させる導光板１１２と、導光板１１２の背面に配置される反射シート１１４と、導光板１１２より出射される光の効率を向上させ、液晶表示パネル１０２に照射する多数の光学シート１１０とを備える。
【００２２】
ランプアセンブリ１３６は、ランプ１３３及びランプ１３３を保護するランプハウジング１３５を含み、液晶表示パネル１０２に光を照射する光源としての役割をする。特に、ランプハウジング１３５は、ランプより照射される光の効率を増加させ、光の損失を防ぐ。
【００２３】
導光板１１２は、一定の傾きを有し、ランプアセンブリ１３６より入射される光を液晶表示パネル１０３側に進むようにする。この際、反射シート１１４は、ランプ１３３より発生される光が導光板１１２側に進むようにすると共に、ランプ１３３より発生される光の損失を防ぐ。
【００２４】
光学シート１１０は、反射シート１１４及び導光板１１２の表面より傾いて入射される光が垂直に液晶表示パネル１０２方向に進行するようにする。
【００２５】
ケーストップ１０６は、直角に構成された平面部と側面部を有する四角帯状で作製される。このようなケーストップ１０６は、液晶表示パネル１０２の縁と主支持部材１０４の側面を覆う。
【００２６】
主支持部材１０４は、バックライトユニット、液晶表示パネル１０２が積層される。
【００２７】
下部支持部材１１６は、主支持部材１０４のバックライトユニットに挿入される一側と連結され、バックライトユニットを保護し、主支持部材１０４を支持する。
【００２８】
このような下部支持部材１１６は、ベースプレート、ベースプレートと重畳されると共に、ベースプレート上で移動可能に形成された移動プレートとを備える。このような下部支持部材１１６は、移動可能な移動プレートを備えることにより、液晶表示パネルの大きさに関わらず、どのような液晶表示パネルに対しても適用可能である。
【００２９】
これを図３及び図４を参照して、本発明における下部支持部材を更に詳しく説明すると次の通りである。
【００３０】
図３は、図２に示した下部支持部材を具体的に示す平面図であり、図４は、図３のＩ-Ｉ′線を切り抜き示した断面図である。
図３及び図４に示した下部支持部材１１６は、ベースプレート１４０と、ベースプレート１４０上にスライドされ、液晶表示パネル２などの大きさに合わせて、大きさが調節される移動プレート１５０が備えられる。
【００３１】
ベースプレート１４０は、底面に位置するベース平面部１４０a、ベース平面部１４０と垂直に構成されるように連結されるベース垂直部１４０b、ベース垂直部１４０bを貫通し、移動プレート１５０と接触されるスクリュー１４２と、ベース平面部１４０aより突出されるように形成され、移動プレート１５０の移動領域を定義すると共に、移動プレート１５０がベースプレート１４０より離脱されることを防止するための突起１４４とを含む。
【００３２】
移動プレート１５０は、それぞれ独立的に移動可能な４つの分割プレート１５０に分割される。それぞれの分割プレート１５０は、ベース平面部１４０a上にスライディング方式により水平に移動可能な移動平面部１５０aと、移動平面部１５０aと垂直に構成されるように連結され、ベース垂直部１５０bを貫通し、スクリュー１４２のプッシングにより移動平面部１５０aと共に移動される移動垂直部１５０bとを含む。移動平面部１５０aのそれぞれには、ベース平面部１４０aより突出された突起１４４が挿入され、突起１４４の移動経路を提供する溝１５４が備えられる。即ち、ベースプレート１４０のベース垂直部１５０bは、側面で移動プレート範囲の離脱を防止する役割をし、突起１４４は、平面上で移動平面部１５０aの移動経路を提供すると共に離脱を防止する役割をする。
【００３３】
このような構造を有する下部支持部材１１６は、移動プレート１５０の位置を調節できるようにすることで、液晶表示パネル２の大きさに関わらずどのような液晶表示パネル２にも適用することができる。即ち、大型液晶表示パネル２に用いられる場合、スクリュー１４２を後退させ、小型液晶表示パネル１０２の場合には、スクリュー１４２を前進させることにより、液晶表示パネル１０２の大きさに合わせて下部支持部材１１６の大きさ、更に詳しくは、移動プレート１５０の大きさを調節することができる。よって、液晶表示パネル２が大型化しても、別途に下部支持部材１１６の作製が不要となるなど、液晶表示パネル２の大きさに関わらずどのような液晶表示パネル２にも適用可能である。
【図面の簡単な説明】
【００３４】
【図１】従来の液晶表示装置を示す分解斜視図
【図２】本発明の実施形態に係る液晶表示装置を示す分解斜視図
【図３】図２に示した下部支持部材を具体的に示す平面図
【図４】図３に示した下部支持部材Ｉ-Ｉ′線を切り抜き示した断面図
【符号の説明】
【００３５】
２、１０２：液晶表示パネル          
４、１０４：主支持部材
６、１０６：ケーストップ            
１０，１１０：光シート
１２，１１２：導光板                
１４，１１４：反射シート
１６，１１６：下部支持部材          
３５，１３５：ランプハウジング
３３，１３３：ランプ                
３６，１３６：ランプアセンブリ
【図１】
0004657983.tif 000002
【図２】
0004657983.tif 000003
【図３】
0004657983.tif 000004
【図４】
0004657983.tif 000005